【事件の表示】
　特願２０１７−２２５００５「表示装置及び表示方法」拒絶査定不服審判事件〔平成３０年　４月１２日出願公開、特開２０１８−　６０５６１、請求項の数（１２）〕について、次のとおり審決する。
【結　論】
　原査定を取り消す。
　本願の発明は、特許すべきものとする。
【理　由】
第１　手続の経緯
　本願は、平成２６年２月５日を出願日とする特願２０１４−２０６６２号の一部を、平成２９年１１月２２日に新たに特許出願したものであって、平成３０年８月７日付けの拒絶理由の通知に対し、同年１０月１２日に意見書が提出されるとともに手続補正がなされたが、平成３１年３月２２日付けで拒絶査定がなされ、これに対して令和元年５月２９日に拒絶査定不服審判の請求がなされると同時に手続補正がなされたものである。
　
第２　原査定の理由の概要
　原査定（平成３１年３月２２日付け拒絶査定）の概要は、次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　　１−６、１２
・引用文献等　Ａ、Ｂ
・請求項　　　７、８
・引用文献等　Ａ−Ｃ
・請求項　　　９−１１
・引用文献等　Ａ−Ｄ　
　　　　　　　　　　　　＜引用文献等一覧＞
Ａ．特開２００７−３２３３４３号公報
Ｂ．米国特許出願公開第２０１１／０３０２５２８号明細書
Ｃ．国際公開第２０１１／１２２４０２号
Ｄ．特開２０１３−６１３８０号公報
第３　本願発明
　本願の請求項１−１２に係る発明（以下、それぞれ「本願発明１」−「本願発明１２」という。）は、令和元年５月２９日付けの手続補正で補正された特許請求の範囲の請求項１−１２に記載された事項により特定される発明であり、以下のとおりの発明である。
「【請求項１】
　表示面の任意の位置に配置される表示領域を表示する表示装置であって、
　複数の表示領域を重畳することなく前記表示面に配置させるための複数の異なる配置パターンを記憶する記憶部と、
　該記憶部に記憶した複数の配置パターンから一の配置パターンを選択する操作を受け付ける選択受付部と、
　前記表示面の任意の位置で表示されている複数の表示領域を、前記選択受付部で選択された配置パターンに応じて配置して表示する表示制御部と、
　整列操作を受け付ける受付部を表示する表示部と、
　を備え、
　前記表示部は、前記複数の表示領域のうち、最前面に位置する表示領域のみに前記受付部を表示し、
　前記選択受付部は、前記受付部で整列操作を受け付けた場合、前記記憶部から読み出されて表示された複数の配置パターンから一の配置パターンを選択する操作を受け付けることを特徴とする表示装置。
【請求項２】
　前記表示部は、前記表示領域の縁の近傍の位置に前記受付部を表示することを特徴とする請求項１に記載の表示装置。
【請求項３】
　前記表示部は、前記表示領域のタイトルバーの位置に前記受付部を表示することを特徴とする請求項２に記載の表示装置。
【請求項４】
　前記表示部は、前記複数の表示領域のうち、ユーザが最後に操作を行った表示領域に前記受付部を表示することを特徴とする請求項２又は３に記載の表示装置。
【請求項５】
　前記表示制御部は、
　前記一の配置パターンを選択する操作を受け付けた場合、選択された配置パターンの配置順序に従って、前記複数の表示領域を定められた順に配置して表示するようにしてあることを特徴とする請求項１から４までのいずれか１項に記載の表示装置。
【請求項６】
　前記表示面に表示されている複数の表示領域が操作された順序を特定する特定部を備え、
　前記表示制御部は、
　選択された配置パターンの配置順序に従って前記複数の表示領域の直近に操作された順に配置して表示するようにしてあることを特徴とする請求項１から５までのいずれか１項に記載の表示装置。
【請求項７】
　選択された配置パターンに応じて前記表示面に表示されている複数の表示領域を配置して表示する場合、該複数の表示領域それぞれの縮小画像を表示する縮小画像表示部を備えることを特徴とする請求項１から６までのいずれか１項に記載の表示装置。
【請求項８】
　前記表示制御部は、
　前記表示面に表示されている複数の表示領域の一部又は全部を、選択された配置パターンに応じて配置して表示するようにしてあり、
　前記縮小画像表示部は、
　前記複数の表示領域の一部が前記配置パターンに応じて配置して表示される場合、該配置パターンに応じて表示されていない表示領域の縮小画像を表示するようにしてあることを特徴とする請求項７に記載の表示装置。
【請求項９】
　前記縮小画像表示部は、
　前記複数の表示領域の縮小画像のうち、選択された配置パターンに応じて配置して表示された表示領域の縮小画像と前記配置パターンに応じて表示されていない表示領域の縮小画像とを異なる表示態様で表示するようにしてあることを特徴とする請求項８に記載の表示装置。
【請求項１０】
　選択された配置パターンに応じて表示されていない表示領域の縮小画像を前記配置パターンに応じて表示された表示領域へ移動させる操作を受け付ける移動受付部を備え、
　前記表示制御部は、
　前記移動受付部で前記操作を受け付けた場合、移動先の表示領域を、移動させた縮小画像に対応する表示領域に置き換えて表示するようにしてあることを特徴とする請求項７から９までのいずれか１項に記載の表示装置。
【請求項１１】
　前記表示面へのタッチ操作の入力を受け付ける操作パネルを備えることを特徴とする請求項１から１０までのいずれか１項に記載の表示装置。
【請求項１２】
　表示面の任意の位置に配置される表示領域を表示する表示方法であって、
　複数の表示領域を重畳することなく前記表示面に配置させるための複数の異なる配置パターンを記憶部に記憶しておき、
　該記憶部に記憶した複数の配置パターンから一の配置パターンを選択する操作を選択受付部が受け付けるステップと、
　前記表示面の任意の位置で表示されている複数の表示領域を、選択された配置パターンに応じて表示制御部が配置して表示するステップと、
　前記複数の表示領域のうち、最前面に位置する表示領域のみに、整列操作を受け付ける受付部を表示部が表示するステップと、
　前記受付部で整列操作を受け付けた場合、前記記憶部から読み出されて表示された複数の配置パターンから一の配置パターンを選択する操作を受け付けるステップと、
　を含むことを特徴とする表示方法。」
第４　引用文献
１．引用文献Ａ・引用発明
　原査定の拒絶理由に引用された上記引用文献Ａには、図面とともに次の事項が記載されている。
「【００３６】
　図２は、
実施例１のウィンドウ表示制御装置の構成例を示す図であり、制御部１０と記憶部２０と表示部３０と入力部４０とにより構成される
制御部１０は、
ウィンドウ情報取得部１２と
ウィンドウ整列処理部１４と
を含む
【００３７】
　また、記憶部２０は、自身の特定の領域内に、後述するウィンドウ整列表示処理を実行する際に使用する情報を格納するためのウィンドウ情報記憶部２１を含む。また、図示していないが、記憶部２０は、上述した制御部１０の各部が各処理を行う際に使用するワーク用メモリ領域を含み、制御部１０の各部は、必要に応じてワーク用メモリ領域の全部または一部を使用して後述する処理を実行する。
・・・中略・・・
【００３９】
　また、図示していないが、表示部３０は、上記ウィンドウ表示制御部からの指示に従い、ＬＣＤなどで構成される表示装置に対するウィンドウ表示を含む表示内容の更新制御を行う表示内容更新制御部と、表示パネルに対する表示内容の状態を保持するための表示情報記憶部と、を含んでいる。」
「【００５７】
　図１０は、実施例２のウィンドウ表示制御装置の構成例を示す図である。本実施例の
ウィンドウ表示制御装置は、上述した実施例１のウィンドウ表示制御装置の制御部１０に代えて制御部１０ａを備えた構成となる
制御部１０ａは、
ウィンドウ整列指示受付部１６およびウィンドウ整列判断部１３ａを備え、
【００５８】
　図１１は、実施例２のウィンドウ表示制御動作の概要を示す図である。図１１に示したように、本実施例においては、
ユーザが行う単純な操作（たとえば動作開始を指定するためのアイコンをクリックする）に従って、既に画面上に表示されているウィンドウを指定された条件で整列表示する
【００５９】
　図１２は、実施例２のウィンドウ表示制御動作の一例を示すフローチャートである。なお、上述した実施例１におけるウィンドウ表示制御動作と同様の処理については、同じステップ番号を付与してその説明を省略する。以下、図１０および図１２を使用してウィンドウ表示制御動作の説明を行う。
【００６０】
　まず、
ウィンドウ整列指示受付部１６は、基本情報（初期情報）として整列ウィンドウ数情報（Ｎ）をウィンドウ情報記憶部２１から取得する
【００６１】
　次に、ウィンドウ整列指示受付部１６は、
選択可能な全てのウィンドウ整列パターンについての整列パターン情報をウィンドウ情報記憶部２１から取得する
取得した整列パターン情報に基づいて、ウィンドウ整列パターン選択画面（ウィンドウ整列パターンの一覧）を表示するように、表示部３０の表示内容更新制御部に対して指示を出す
ユーザが選択したウィンドウ整列パターンの情報が入力部４０を介して入力されるのを待ち、選択されたウィンドウ整列パターンの情報を取得する
選択されたウィンドウ整列パターンの情報を取得すると、そのウィンドウ整列パターンを示す整列パターン情報を、選択された整列パターン情報としてウィンドウ情報記憶部２１へ格納しておく
【００６２】
　なお、ウィンドウ表示制御装置は、ユーザにより予め選択され、ウィンドウ情報記憶部２１に格納されている選択された整列パターン情報（選択された整列パターン情報が格納されていない場合にはデフォルトの整列パターン情報）をステップＳ１１ａにおいて取得し、その取得した情報を使用してステップＳ１５以降の処理を実行することとしてもよい。この場合、上記ステップＳ１２ａおよびＳ１３ａを省略することが可能となり、ユーザにとって操作の煩雑さが解消される。また、制御部１０（ウィンドウ整列指示受付部１６）が行う処理の削減が図れる。
【００６３】
　次に、ウィンドウ情報取得部１２による処理（ステップＳ１５およびＳ１６）を実行後、ウィンドウ整列判断部１３ａは、表示部３０に表示されているウィンドウ数（表示ウィンドウ数とする）情報をウィンドウ情報記憶部２１から取得し、表示ウィンドウ数と、上記整列ウィンドウ数（Ｎ）とを比較する（ステップＳ１７ａ）。ステップＳ１７ａにおける比較結果が「表示ウィンドウ数≧Ｎ」である場合（ステップＳ１７ａ，Ｙｅｓ）、直ちにステップＳ１９ａへ遷移する。これに対して、ステップＳ１７ａにおける比較結果が「表示ウィンドウ数＜Ｎ」である場合（ステップＳ１７ａ，Ｎｏ）、ウィンドウ整列判断部１３ａは、「Ｎ＝（表示ウィンドウ数）」として（ステップＳ１８）、ステップＳ１９ａへ遷移する。
【００６４】
　次に、
ウィンドウ整列判断部１３ａは、表示部３０に表示されている各ウィンドウの使用順番についての情報をウィンドウ情報記憶部２１から取得する
そして、直近に使用したものから順番に、Ｎ番目までのウィンドウの情報（識別子）を選択し、選択した識別子を整列対象ウィンドウの識別子としてウィンドウ情報記憶部２１へ格納する
ウィンドウ整列処理部１４に対して、整列対象ウィンドウについての情報を渡し、整列処理を実行するように指示を出す
【００６５】
　次に、
ウィンドウ整列処理部１４は、ウィンドウ情報記憶部２１から整列対象ウィンドウの識別子を読み出し、
取得したウィンドウ整列パターンの情報に従って、整列対象ウィンドウの位置変更（整列）およびサイズ変更を行い、整列対象ウィンドウを並び替えるように、表示部３０の表示内容更新制御部に対して指示を行う
【００６６】
　ここで、図１３に示したように、整列対象ウィンドウの数が“０個”の場合、ウィンドウ整列処理部１４は整列処理（上記ステップＳ２０ａの処理）を実行しない（ウィンドウ整列判断部１３ａは、ウィンドウ整列処理部１４に対して整列処理の実行指示を行わない）。これに対して、整列対象ウィンドウの数が “１個”の場合、ステップＳ２０ａにおいて、ウィンドウ整列処理部１４は、整列対象ウィンドウを画面中央に表示する。また整列対象ウィンドウの数が“２個以上”の場合、ステップＳ２０ａにおいて、ウィンドウ整列処理部１４は、上記ステップＳ１３ａにおいて取得した整列パターンに従って画面をＮ分割し、整列対象ウィンドウを再配置（整列）する。たとえば、整列対象ウィンドウが“２個”であれば、ステップＳ２１実行後の画面表示は図９に示したようなものとなる。
【００６７】
　なお、本実施例のウィンドウ表示制御装置が、実施例１のウィンドウ表示制御装置のアプリケーションプログラム起動指示受付部１１を備える、または、本実施例のウィンドウ整列指示受付部１６が、上述した処理に加えて、実施例１のアプリケーションプログラム起動指示受付部１１が実行する処理を実行するようにしてもよい。すなわち、ウィンドウ整列指示受付部１６が、アプリケーションプログラム起動指示受付部１１が実行する処理をあわせて実行する場合、上記ステップＳ１１ａの処理に続いて、表示部３０へ整列パターン選択画面（整列パターンの一覧）を表示し、どの整列パターンを使用するか（初期整パターン）をユーザに選択させるようにする。
【００６８】
　このように、本実施例においては、ウィンドウの並べ替え（整列表示）を行う場合、ユーザは整列パターンの選択のみを行い、ウィンドウ表示制御装置は、直近に使用されたものから順番に選択したウィンドウを、選択された整列パターンに従って自動的に整列表示させることとした。これにより、
ウィンドウを整列表示させるための細かい操作（整列表示させるウィンドウの選択、各ウィンドウの表示位置の指示、各ウィンドウの表示サイズの調整、など）をユーザが行うことなく複数のウィンドウを同時に見ることが可能となり、操作の煩雑さを解消することができる
「【図１１】
」
　上記記載及び図面によれば、引用文献Ａには、実施例２のウィンドウ表示制御装置について、以下の発明（以下、「引用発明」という。）が記載されているといえる。
〈引用発明〉
「ユーザが行う単純な操作（たとえば動作開始を指定するためのアイコンをクリックする）に従って、既に画面上に表示されているウィンドウを指定された条件で整列表示するウィンドウ表示制御装置であって、制御部１０ａと記憶部２０と表示部３０と入力部４０とにより構成され、
　制御部１０ａは、ウィンドウ整列指示受付部１６、ウィンドウ情報取得部１２、ウィンドウ整列判断部１３ａおよびウィンドウ整列処理部１４を備え、
　ウィンドウ整列指示受付部１６は、基本情報（初期情報）として整列ウィンドウ数情報（Ｎ）をウィンドウ情報記憶部２１から取得し、選択可能な全てのウィンドウ整列パターンについての整列パターン情報をウィンドウ情報記憶部２１から取得した整列パターン情報に基づいて、ウィンドウ整列パターン選択画面（ウィンドウ整列パターンの一覧）を表示するように、表示部３０の表示内容更新制御部に対して指示を出し、ユーザが選択したウィンドウ整列パターンの情報が入力部４０を介して入力されるのを待ち、選択されたウィンドウ整列パターンの情報を取得し、選択された整列パターン情報としてウィンドウ情報記憶部２１へ格納し、
　ウィンドウ整列判断部１３ａは、表示部３０に表示されている各ウィンドウの使用順番についての情報をウィンドウ情報記憶部２１から取得し、直近に使用したものから順番に、Ｎ番目までのウィンドウの情報（識別子）を選択し、選択した識別子を整列対象ウィンドウの識別子としてウィンドウ情報記憶部２１へ格納し、ウィンドウ整列処理部１４に対して、整列対象ウィンドウについての情報を渡し、整列処理を実行するように指示を出し、
　ウィンドウ整列処理部１４は、ウィンドウ情報記憶部２１から整列対象ウィンドウの識別子を読み出し、取得したウィンドウ整列パターンの情報に従って、整列対象ウィンドウの位置変更（整列）およびサイズ変更を行い、整列対象ウィンドウを並び替えるように、表示部３０の表示内容更新制御部に対して指示を行い、
　ウィンドウを整列表示させるための細かい操作（整列表示させるウィンドウの選択、各ウィンドウの表示位置の指示、各ウィンドウの表示サイズの調整、など）をユーザが行うことなく複数のウィンドウを同時に見ることが可能となり、操作の煩雑さを解消することができる、
ウィンドウ表示制御装置。」
２．引用文献Ｂ
　原査定の拒絶理由に引用された上記引用文献Ｂには、図面とともに次の事項が記載されている。
「[0030] FIG.1 shows tilingnavigator for resizing a window to particular display location on a display device. Display 100 displays window 110 at an initial location, such as the center of display 100. Display 100 may be, for example, a computer display, a television monitor, a mobile phone display, a net bookdisplay, etc. Window 110 includes drop down detection area 120, whose boundary may or may not be viewable. For example, drop down detection area 120 may include window 110's “minimize” and/or “maximize” icons. Drop down detection area 120 may also be in the form of a separate icon, such as tiling navigator icon 430 shown in FIG.4B. Drop down detection area 120 may also be located as a separate element of a graphical user interface that is not associated with a window, and it may be located anywhere on the display 100. As computer users may be accustomed to using maximize/minimize icons associated with windows, however, FIG.1 depicts aconvenient location for detection area 120.」
（当審訳：
[0030]　図１は、表示装置上の特定の位置にウィンドウをリサイズするためのタイリングナビゲータの実施例を示している。ディスプレイ１００は、ディスプレイ１００の中心のような初期位置にウィンドウ１１０を表示する。ディスプレイ１００は、例えば、コンピュータのディスプレイ，テレビのモニタ，携帯電話のディスプレイ，ネットブックのディスプレイなどである。
ウィンドウ１１０は、その境界が表示可能、あるいは表示可能ではないドロップダウン検出エリア１２０を含む
ドロップダウン検出エリア１２０は、
タイリングナビゲータアイコン４３０のような別個のアイコンの形でありえる
「[0040] FIG.3 shows that, even though window 310 is inactive, when a user places cursor 130 to hover over drop down detection area 120, tiling navigator 140 is displayed. In turn, the user may select one of tiling navigator 140's window resizing options to resize inactive window 310 to a particular display location. In one embodiment, a user may configure navigational options to change inactive window 310 to an active window after inactive window 310 is resized to the particular display location.」
（当審訳：
[0040]　図３は、
ウィンドウ３１０がアクティブでなくても、ユーザがドロップダウン検出エリア１２０上にカーソル１３０をホバリングするように置くと、タイリングナビゲータ１４０が表示されることを示している
アクティブでないウィンドウ３１０をアクティブなウィンドウに変更するナビゲーションのオプションを設定することができる
「[0047] FIG.5A shows an embodiment of a tiling navigator that includes predefined window arrangements. Tiling navigator 500 includes predefined window arrangements 505 - 520. Each of predefined window arrangements shows a particular arrangement of windows to be displayed on a display device, such as display 100 shown in FIG.1.」
（当審訳：
[0047]　図５Ａは、予め定義されたウィンドウ配置を含むタイリングナビゲータの実施例を示す。タイリングナビゲータ５００は、予め定義されたウィンドウ配置５０５−５２０を含む。予め定義されたウィンドウの配置のそれぞれは、図１で示されるディスプレイ１００のような表示装置上に表示されるウィンドウの特定の配置を示す。）
FIG.3（図３）
FIG.5A（図５Ａ）
  
第５　対比・判断
１．本願発明１について
（１）対比
　本願発明１と引用発明とを対比する。
（ア）引用発明の「ウィンドウ」は、画面上の任意の位置に表示されるものであるから、本願発明１の「表示面の任意の位置に配置される表示領域」に相当する。
（イ）引用発明の「ウィンドウ整列パターン情報」は、本願発明１の「複数の表示領域を重畳することなく前記表示面に配置させるための複数の異なる配置パターン」に相当し、引用発明の「ウィンドウ情報記憶部２１」は、本願発明１の「複数の表示領域を重畳することなく前記表示面に配置させるための複数の異なる配置パターンを記憶する記憶部」に相当するといえる。
（ウ）引用発明の「ウィンドウ情報記憶部２１から取得した整列パターン情報に基づいて、ウィンドウ整列パターン選択画面（ウィンドウ整列パターンの一覧）を表示」し、「ユーザが」「入力部４０を介して」、「ウィンドウ整列パターンの情報」を選択する構成は、本願発明１の「該記憶部に記憶した複数の配置パターンから一の配置パターンを選択する操作を受け付ける選択受付部」に相当するといえる。
（エ）引用発明の「ウィンドウ整列指示受付部１６、ウィンドウ情報取得部１２、ウィンドウ整列判断部１３ａおよびウィンドウ整列処理部１４」を備える「制御部１０ａ」は、本願発明１の「前記表示面の任意の位置で表示されている複数の表示領域を、前記選択受付部で選択された配置パターンに応じて配置して表示する表示制御部」に相当するといえる。
（オ）引用発明の「動作開始を指定するためのアイコン」は、本願発明１の「整列操作を受け付ける受付部」に相当するといえ、引用発明の当該「アイコン」を表示する構成は、本願発明１の「整列操作を受け付ける受付部を表示する表示部」に相当するといえる。
　そして、引用発明は、「アイコン」をクリックすると動作を開始し、「ウィンドウ情報記憶部２１から取得した整列パターン情報に基づいて、ウィンドウ整列パターン選択画面（ウィンドウ整列パターンの一覧）を表示」し、「ユーザが」「入力部４０を介して」、「ウィンドウ整列パターンの情報」を選択する」から、本願発明１の「前記選択受付部は、前記受付部で整列操作を受け付けた場合、前記記憶部から読み出されて表示された複数の配置パターンから一の配置パターンを選択する操作を受け付ける」構成を備えているといえる。
（カ）引用発明の「ウィンドウ表示制御装置」は、後述する相違点を除き、本願発明１の「表示装置」に相当するといえる。
　したがって、本願発明１と引用発明との間には、以下の一致点及び相違点があるといえる。
（一致点）
「表示面の任意の位置に配置される表示領域を表示する表示装置であって、
　複数の表示領域を重畳することなく前記表示面に配置させるための複数の異なる配置パターンを記憶する記憶部と、
　該記憶部に記憶した複数の配置パターンから一の配置パターンを選択する操作を受け付ける選択受付部と、
　前記表示面の任意の位置で表示されている複数の表示領域を、前記選択受付部で選択された配置パターンに応じて配置して表示する表示制御部と、
　整列操作を受け付ける受付部を表示する表示部と、
　を備え、
　前記選択受付部は、前記受付部で整列操作を受け付けた場合、前記記憶部から読み出されて表示された複数の配置パターンから一の配置パターンを選択する操作を受け付けることを特徴とする表示装置。」
（相違点）
　本願発明１では、「前記表示部は、前記複数の表示領域のうち、最前面に位置する表示領域のみに前記受付部を表示し」ているのに対し、引用発明では、そのような表示部の構成は特定されていない点。
（２）相違点についての判断
　上記相違点について検討する。
　引用文献Ｂには、複数のウィンドウ３００、３１０を表示する表示装置１００において、重ねられて配置された各ウィンドウの上縁に、ウィンドウの位置及びサイズを変更するためのタイリングナビゲータ１４０を表示するためのドロップダウン検出エリア１２０を表示することが記載されており、この「タイリングナビゲータ１４０を表示するためのドロップダウン検出エリア１２０」は、本願発明１の「整列操作を受け付ける受付部」に相当するといえる。
　しかしながら、引用文献Ｂに記載される「ドロップダウン検出エリア１２０」は、最前面に位置するアクティブなウィンドウ３００のみならず、（最前面に位置していない）アクティブでないウィンドウ３１０にも同じように表示されているところ、複数のウィンドウのうち、最前面に位置するアクティブなウィンドウ３００のみに「ドロップダウン検出エリア１２０」を表示することは記載されておらず、示唆されてもいない。
　特に、段落[0040]には、「ドロップダウン検出エリア１２０」をアクティブではないウィンドウ３１０に表示することにより、アクティブではないウィンドウであっても位置及びサイズを変更することができるようにするものであることが記載されており、この記載からみて、「ドロップダウン検出エリア１２０」を（最前面に位置していない）アクティブでないウィンドウ３１０に表示しないようにすること（最前面に位置するアクティブなウィンドウ３００のみに表示するようにすること）は、引用文献Ｂに開示されているに等しい事項であると認めることはできない。
　そうしてみると、仮に、引用発明に引用文献Ｂの技術的事項を適用できたとしても上記相違点に係る本願発明１の構成には至らない。
　また、上記相違点に係る本願発明１の構成は、原査定の拒絶理由に引用された引用文献Ｃ、Ｄにも記載されておらず、さらに、本願出願日前に周知技術であったともいえない。
　したがって、本願発明１は、当業者であっても、引用発明および引用文献Ｂ記載の技術事項に基づいて容易に発明をすることができたとはいえない。
２．本願発明２−１１について
　本願発明２−１１は、上記相違点に係る本願発明１と同じ構成を備えるものであるから、本願発明１と同様の理由により、当業者であっても、引用発明に基づいて容易に発明できたものとはいえない。
３．本願発明１２について
　本願発明１２は、上記相違点に係る本願発明１の構成と同様の構成を備えるものであるから、本願発明１と同様の理由により、当業者であっても、引用発明に基づいて容易に発明できたものとはいえない。
第６　むすび
　以上のとおり、原査定の理由によっては、本願を拒絶することはできない。
　また、他に本願を拒絶すべき理由を発見しない。
　よって、結論のとおり審決する。